(57)【特許請求の範囲】
【請求項１】
複数のリードを同一端面より引出した電子部品本体と、この電子部品本体の上記端面に当接された絶縁物製の取付板とからなり、上記取付板には、その外側面に上記各リードにそれぞれ接続されて上記取付板の各側縁にそれぞれ向けて延在する複数の金属板電極がインサート成型により接合されており、かつ上記以外の側縁より上記各リード位置へ向けて複数のスリットがほぼ平行に形成されており、上記各金属板端子にはこれらスリットに重なる位置においてこれらスリットの壁面の一部を構成する折曲部が形成されていることを特徴とする電子部品。
【請求項２】
請求項１に記載の電子部品において、上記各金属板端子は、少なくともその取付板側縁に近い端部の近傍に、上記絶縁物によって充たされた結合孔を有することを特徴とする電子部品。
【請求項３】
請求項１に記載の電子部品において、上記各金属板端子は、少なくともその取付板側縁に近い端部の近傍に、上記取付板内に埋没している舌片を有することを特徴とする電子部品。
【発明の詳細な説明】
【０００１】
【発明の属する技術分野】
この発明は、リード線形式の電子部品のプリント基板への取付を容易にするために、その端面に実装用の絶縁板を取付けた、いわゆるリードレスの電子部品に関する。
【０００２】
【従来の技術及びその課題】
従来のこの種のリードレス電子部品として、例えば特開昭５９−２１１２１３号公報に示されているような電解コンデンサが存在する。
このリードレスアルミ電解コンデンサは、図２に示すように、コンデンサ素子１を金属ケース２内に収納し、コンデンサ素子１より伸びるリード３、３をケース２の開口端を封口する封口部材４を通して引き出してなるコンデンサ本体５と、このコンデンサ本体５のリード３、３を引き出した端面に当接され、かつリード３、３が貫通する貫通孔６、６及び外表面に設けた貫通孔６、６につながる凹溝７、７を有する絶縁性取付板８とからなり、貫通孔６、６を貫通したリード３、３の先端部を丸棒のまま、又は偏平加工を施した凹溝７、７内に納めるように折曲げ、この折曲げ部から先をプリント基板への半田付部とするものである。
【０００３】
しかし、このコンデンサでは、凹溝７、７内に折曲げて納めたリード３、３の周面の外側部分のみが基板への半田付面となるために半田付面積が小さくなり、コンデンサをプリント基板に面実装する工程において、プリント基板に対するコンデンサの位置決めが困難である。そして、コンデンサとプリント基板の導体との接触面積が狭いために相互間に付着する溶融半田量が少なく、従って、接着強度を十分にとることができない。また、リード３、３を折曲げる際に内部のコンデンサ素子１にストレスが加わって特性を劣化させ易く、これを軽減するためにリード３、３の折曲げ予定箇所に切り込みを入れるなど、予め折曲げ易くすることも行われているが、これにより、プリント基板に実装したコンデンサに衝撃や振動が加わった場合に、リードが折曲げ部で断線することがある。
【０００４】
更にこのようなコンデンサには、コンデンサ素子に取付板を結合する際に、リードを小径の貫通孔に挿通しなければならぬ問題がある。この挿通作業は、手作業で行えば非能率的なものとなり、自動化しようとすればコンデンサ素子と取付板の相互関係に非常な高精度を要し、特にリードが細線の場合は２本のリードが必ずしも平行になっていないので、その取扱いが困難である。そのためにこのような作業を自動化すると、装置が如何に精巧であっても、リードが貫通孔に挿通されずにコンデンサ本体端面と取付板との間で偏平な塊状に圧縮された形となり、このようなものが完成品として送出されることがある。量産工程では、このような不良品が１個でも発見されると、そのロットの製品の全てを廃棄することになるので、これによる損害は非常に大きい。
【０００５】
上述のような取付板付きの電解コンデンサの問題点を解決するために、図３に示すように貫通孔６、６の代わりにスリット９、９を取付板８に設けることが考えられる。同図において、取付板８の外表面には、インサート成形により金属板端子１０、１０が接合されており、取付板８の一側縁８ａから金属板端子１０、１０へ向けて互いに平行なスリット９、９が設けられている。コンデンサ本体５のリード３、３の長さは取付板８の厚さにほぼ等しく、その間隔はスリット９、９の間隔にほぼ等しい。
【０００６】
上述の取付板８とコンデンサ本体５とを結合する際は、リード３、３を取付板側縁８ａからスリット９、９内へ導入し、取付板８とコンデンサ本体５との位置を所定関係に保ち、リード３、３をそれぞれ金属板端子１０、１０へレーザー溶接する。
【０００７】
図３に示したコンデンサは、リードを小径の貫通孔へ挿通しなくてよいので生産が容易であり、リードを折曲げなくてよいのでコンデンサ素子への悪影響やリードの断線を回避することができる。また面積が広い金属板端子が存在するため、プリント基板導体への半田付が容易である。しかし、プリント基板への取付強度は、取付板と金属板端子との結合強度に依存する。よって本発明はこの取付板と金属板端子との結合強度を高めることを目的とする。
【０００８】
【課題を解決するための手段】
本発明における電子部品は、図３に示したコンデンサと同様に、複数のリードを同一端面から引出した電子部品本体と、この電子部品本体の上記端面に当接している絶縁物製の取付板とからなる。この取付板の外側面には、上記各リードにそれぞれ接続されて上記取付板の各側縁にそれぞれ向けて複数の金属板電極が、上記取付板をモールド成型する際にインサートすることにより一体に接合されている。また、上記取付板には、上記以外の側縁から上記各リード位置へ向かって複数のスリットがほぼ平行に形成されている。即ち、各リードは各スリット内をそれぞれ通って、取付板の外側面に位置する各金属板端子に接続されている。
【０００９】
本発明の特徴として、上記各金属板端子には、上記スリットに重なる位置に、これらスリットの壁面の一部をなす折曲部が形成されている。このような金属板端子は、製作時にスリット部分に折曲げ加工を施しておき、この折曲部を有する金属板端子を上記取付板のモールド成型時にインサートする。
【００１０】
望ましい実施態様では、上記金属板端子は適所に結合孔を有し、この結合孔内にはモールド時に取付板を構成する絶縁物が充満する。この結合孔は、少なくとも金属板端子の取付板の側縁に近い端部、即ちスリットとは反対側の端部近傍に設けることが望ましい。また、結合孔の口縁の一部より取付板内部へ向けて舌片を伸延させることもできる。
【００１１】
上述のように、金属板端子は、スリット部分に折曲部を有する状態でインサート成型が行われる結果、折曲部も取付板を形成する絶縁物に接合してスリット壁面の一部を構成するようになる。そのために、金属板端子の取付板に対する接合強度が高まるばかりでなく、リードに対する溶接或いは半田付の面積が拡がって、リードとの結合強度も高まる。そして結果として、プリント基板に対する電子部品の取付強度を高めることができる。
【００１２】
また、金属端子板の上述のスリット部分における折曲部に加えて、これとは反対側の端部の近傍に結合孔または舌片を設けることにより、その部分における取付板との接合強度を高めるときは、金属端子板がその全面にわたって取付板から剥離する惧れが無くなるため、プリント基板に対する電子部品の取付強度を更に高めることができる。
【００１３】
【発明の実施の形態】
図１（ａ）及び（ｂ）において、コンデンサ本体５の端面に絶縁物製の取付板８が当接している。取付板８の外側面、即ち下面には、対向する側縁８ａ、８ｃよりそれぞれ中心方向に向けて金属板端子１０、１０が接合され、別の側縁８ａよりそれぞれ金属板端子１０、１０へ向けて互いに平行なスリット９、９が形成されている。コンデンサ本体５の端面からは、取付板８の厚さにほぼ等しい長さのリード３、３がスリット９、９の間隔に等しい間隔で導出されている。
【００１４】
各金属板端子１０、１０は、取付板側縁８ｂ、８ｃに接近した箇所に、図１（ｃ）に示すように舌片１２付きの結合孔１１、１１が形成されており、この箇所における取付板８との接合強度を高めている。上述のコンデンサがプリント基板に実装される際、各金属板端子１０、１０は全面的に基板導体に半田付されるが、コンデンサに加わった衝撃、振動等により取付板８とプリント基板との間に加わる力は、取付板８の中心部分よりも側縁部分の方が大きく、従って金属板端子１０、１０はこの箇所から剥離し易いが、これを上述の結合孔１１、１１によって阻止することができる。
【００１５】
各金属板端子１０、１０は、図１（ｄ）に示すようにスリット９、９内へ向かった折曲部１３を有し、この折曲部はスリット９、９の壁面の一部をなしている。各金属板端子１０、１０には予め折曲部１３が加工されており、これをモールドにインサートして取付板８を製作することにより、折曲部１３も取付板８に接合された状態になり、各金属板端子１０、１０と取付板８との接合強度を高めることができる。
【００１６】
また、折曲部１３を設けたことにより各金属板端子１０、１０のリード３、３に対する接触面積が大きくなる結果、両者をレーザー溶接により接続する作業が容易になり、かつ接続強度も向上する。そしてこのようなコンデンサをプリント基板上に実装する際には、折曲部１３に沿って這上がった溶融半田がレーザー溶接されていない隙間を埋めるため、各金属板端子１０、１０のリード３、３への結合を一層強固にする。従ってコンデンサを極めて強力にプリント基板上に固定することが可能になる。
【００１７】
上述の実施例は、本発明を円筒形アルミ電解コンデンサに実施したものであるが、本発明は同様に一端面からリードが導出されている他の電子部品にも実施することができるものである。
【００１８】
【発明の効果】
以上のように、本発明によれば、複数のリードが一端より導出されている電子部品に取付板を結合して面実装型に変更する際に、リードを取付板の貫通孔に挿通しなければならない問題を解決すると同時に、取付板に設けた金属板端子とリードの接続を容易かつ強固にし、同時に金属板端子と取付板との接合をも強固なものにすることができる。
【図面の簡単な説明】
【図１】本発明を実施したアルミ電解コンデンサを示し、（ａ）は正面図、（ｂ）は底面図、（ｃ）は底面図におけるｃ−ｃ線に沿う拡大断面図、（ｄ）は底面図におけるｄ−ｄ線に沿う拡大断面図である。
【図２】従来の面実装型電子部品の一例を示し、（ａ）は一部切断正面図、（ｂ）は底面図である。
【図３】本発明によらない改良された面実装型電子部品を示し、（ａ）は一部切断正面図、（ｂ）は底面図である。
【符号の説明】
３  リード
５  コンデンサ本体
８  取付板
８ａ〜８ｃ  取付板の側縁
９  スリット
１０  金属板端子
１１  結合孔
１２  舌片
１３  折曲部
【図１】
0003563197.tif 000002
【図２】
0003563197.tif 000003
【図３】
0003563197.tif 000004